(57)【要約】【課題】フィルタに付いた塵埃を飛散させることなく確実に捕集することができる空調装置の清掃装置を提供する。【解決手段】空調装置の清掃装置は、天井に埋め込まれた空調装置のグリルが取り付けられた状態で前記グリルとともに前記グリルの上方に設けられたフィルタを四方から囲み、下方にいくにつれてつぼむように形成された囲い体と、前記囲い体の上部において互いに対向する一対の側面にそれぞれ設けられた一対のレール体と、外周面に毛を備え、前記囲い体の上部の内側において前記一対のレール体にまたがり、前記一対のレール体に対して回転しながら移動した際に、前記毛が前記グリルの隙間から前記フィルタに接触することで前記フィルタに付いた塵埃を前記囲い体の内部に落下させるブラシと、を備えた。【選択図】図１
2020044524.tif 000002
【特許請求の範囲】
【請求項１】
天井に埋め込まれた空調装置のグリルが取り付けられた状態で前記グリルとともに前記グリルの上方に設けられたフィルタを四方から囲み、下方にいくにつれてつぼむように形成された囲い体と、
前記囲い体の上部において互いに対向する一対の側面にそれぞれ設けられた一対のレール体と、
外周面に毛を備え、前記囲い体の上部の内側において前記一対のレール体にまたがり、前記一対のレール体に対して回転しながら移動した際に、前記毛が前記グリルの隙間から前記フィルタに接触することで前記フィルタに付いた塵埃を前記囲い体の内部に落下させるブラシと、
を備えた空調装置の清掃装置。
【請求項２】
前記囲い体は、下部において掃除機のホースと接続される請求項１に記載の空調装置の清掃装置。
【請求項３】
前記一対のレール体の一方の側において前記ブラシに連結され、回転することで前記ブラシを回転させる駆動体と、
前記駆動体に巻き掛けられ、移動した際に前記駆動体を回転させる操作体、
を備えた請求項１または請求項２に記載の空調装置の清掃装置。
【請求項４】
前記囲い体の上縁部に設けられ、前記囲い体が前記フィルタを四方から囲んだ際に前記空調装置の面に密着する密着体、
を備えた請求項１から請求項３のいずれか一項に記載の空調装置の清掃装置。
【発明の詳細な説明】
【技術分野】
【０００１】
この発明は、空調装置のフィルタの清掃に用いられる清掃装置に関する。
【背景技術】
【０００２】
特許文献１は、空調装置のフィルタの清掃に用いられる清掃装置を開示する。当該清掃装置によれば、グリルを取り外すことなく、フィルタに付いた塵埃を捕集し得る。
【先行技術文献】
【特許文献】
【０００３】
【特許文献１】特開昭６０−８４１２７号公報
【発明の概要】
【発明が解決しようとする課題】
【０００４】
しかしながら、特許文献１に記載の清掃装置においては、フィルタに付いた塵埃がケースの外側にこぼれ得る。この場合、当該塵埃を捕集することができない。
【０００５】
この発明は、上述の課題を解決するためになされた。この発明の目的は、フィルタに付いた塵埃を飛散させることなく確実に捕集することができる空調装置の清掃装置を提供することである。
【課題を解決するための手段】
【０００６】
この発明に係る空調装置の清掃装置は、天井に埋め込まれた空調装置のグリルが取り付けられた状態で前記グリルとともに前記グリルの上方に設けられたフィルタを四方から囲み、下方にいくにつれてつぼむように形成された囲い体と、前記囲い体の上部において互いに対向する一対の側面にそれぞれ設けられた一対のレール体と、外周面に毛を備え、前記囲い体の上部の内側において前記一対のレール体にまたがり、前記一対のレール体に対して回転しながら移動した際に、前記毛が前記グリルの隙間から前記フィルタに接触することで前記フィルタに付いた塵埃を前記囲い体の内部に落下させるブラシと、を備えた。
【発明の効果】
【０００７】
この発明によれば、囲い体の上部の内側において、ブラシ体の毛は、グリルの隙間からフィルタに接触する。このため、フィルタに付いた塵埃は、囲い体の内部に落下する。その結果、フィルタに付いた塵埃を飛散させることなく確実に捕集することができる。
【図面の簡単な説明】
【０００８】
【図１】実施の形態１における空調装置の清掃装置による空調装置の清掃状態を示す斜視図である。
【図２】実施の形態１における空調装置の清掃装置の斜視図である。
【図３】実施の形態１における空調装置の清掃装置の縦断面図である。
【図４】実施の形態１における空調装置の清掃装置の縦断面図である。
【図５】実施の形態１における空調装置の清掃装置の縦断面図である。
【図６】実施の形態１における空調装置の清掃装置の要部の縦断面図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１における空調装置の清掃装置による空調装置の清掃状態を示す斜視図である。図２は実施の形態１における空調装置の清掃装置の斜視図である。
【００１１】
図１に示されるように、空調装置１は、天井に埋め込まれる。空調装置１は、グリル２を備える。グリル２は、正方形状に形成される。グリル２は、格子状に形成される。グリル２は、空調装置１に対して着脱自在に設けられる。空調装置１は、フィルタ３を備える。フィルタ３は、グリル２の上方に設けられる。フィルタ３は、正方形状に形成される。フィルタ３は、網目状に形成される。フィルタ３は、空調装置１に対して着脱自在に設けられる。フィルタ３は、空調装置１が吸い込む空気に含まれた塵埃を捕集し得るように設けられる。
【００１２】
図１と図２とに示されるように、清掃装置４は、囲い体５と密着体６と一対のレール体７とブラシ体８と駆動体９と操作体１０とを備える。なお、図１においては、一対のレール体７の一方のみが示される。
【００１３】
囲い体５は、枠部５ａと捕集部５ｂと筒部５ｃとを備える。枠部５ａの外形は、水平投影面上において正方形状に形成される。枠部５ａの外形は、水平御投影面上においてグリル２よりも一回り大きくなるように形成される。捕集部５ｂの外形は、下方にいくにつれてつぼむように形成される。例えば、捕集部５ｂの外形は、四角錐状に形成される。捕集部５ｂの上部は、枠部５ａの下部に連結される。筒部５ｃの外形は、水平投影面上において円状に形成される。筒部５ｃの上部は、捕集部５ｂの下部に連結される。
【００１４】
密着体６は、枠部５ａの上縁部に設けられる。密着体６は、弾性体で形成される。例えば、密着体６は、スポンジで形成される。
【００１５】
一対のレール体７は、囲い体５の枠部５ａにおいて互いに対向する一対の側面にそれぞれ設けられる。一対のレール体７は、長手方向を水平方向として設けられる。
【００１６】
ブラシ体８は、外周面に毛８ａを備える。ブラシ体８の要部は、囲い体５の枠部５ａの内側において一対のレール体７にまたがる。ブラシ体８は、一対のレール体７に対して回転しながら移動し得るように設けられる。
【００１７】
駆動体９は、一対のレール体７の一方に対して囲い体５の外側においてブラシ体８の端部に連結される。駆動体９は、回転することでブラシ体８を回転させ得るように設けられる。
【００１８】
操作体１０は、環状に形成される。例えば、操作体１０は、ボールチェーンである。操作体１０は、駆動体９に巻き掛けられる。操作体１０は、移動した際に駆動体９を回転させ得るように設けられる。
【００１９】
図１に示されるように、フィルタ３の清掃が行われる際、作業員は、掃除機のホースＡを囲い体５の筒部５ｃにつなぐ。この状態において、作業員は、密着体６がグリル２の外側において空調装置１の下面に密着するように掃除機のホースＡまたは囲い体５の筒部５ｃを左手および右手の一方で持つ。その結果、囲い体５の枠部５ａは、グリル２とともにフィルタ３を四方から囲うように配置される。
【００２０】
次に、図３から図５を用いて、フィルタ３の清掃方法を説明する。
図３から図５実施の形態１における空調装置の清掃装置の縦断面図である。
【００２１】
図３から図５においては、グリル２と密着体６との図示は省略する。
【００２２】
図３の状態において、作業員は、左手および右手の他方で操作体１０を引っ張ることで操作体１０を矢印の方向に移動させる。操作体１０が矢印の方向に移動すると、駆動体９は、右回りに回転する。駆動体９が右回りに回転すると、ブラシ体８は、右回りに回転しながら囲い体５の枠部５ａの左側から右側に向けて一対のレール体７に沿って移動する。
【００２３】
この際、図４に示されるように、ブラシ体８の毛８ａは、グリル２の隙間からフィルタ３に接触する。その結果、フィルタ３に付いた塵埃が掻き出される。当該塵埃は、グリル２の隙間から下方に落下する。当該塵埃は、囲い体５の枠部５ａの内側から捕集部５ｂの内側に向けて下方に落下する。当該塵埃は、囲い体５の捕集部５ｂの内側から筒部５ｃの内側に向けて落下する。当該塵埃は、掃除機の吸引力により、囲い体５の筒部５ｃの内側からホースＡの内側に吸引される。
【００２４】
図５に示されるように、ブラシ体８が囲い体５の枠部５ａの左側から右側に到達すると、フィルタ３に付いた塵埃は、全体的に除去される。
【００２５】
次に、図６を用いて、駆動体９の動作を説明する。
図６実施の形態１における空調装置の清掃装置の要部の縦断面図である。
【００２６】
図６に示されるように、レール体７は、複数の歯７ａを備える。複数の歯７ａは、水平方向に並んで形成される。駆動体９は、複数の歯９ａを備える。複数の歯９ａは、駆動体９の軸に対して円周上に並んで形成される。レール体７と駆動体９とは、いずれかの歯７ａといずれかの歯９ａとを互いに噛み合わせて配置される。
【００２７】
この状態において、駆動体９が右回りに回転すると、レール体７と駆動体９とがいずれかの歯７ａといずれかの歯９ａとを互いに噛み合わせた状態を維持しながら、駆動体９は、右回りに回転しながら囲い体５の枠部５ａの左側から右側に向けて一対のレール体７に沿って移動する。
【００２８】
以上で説明した実施の形態１によれば、囲い体５の上部の内側において、ブラシ体８の毛８ａは、グリル２の隙間からフィルタ３に接触する。このため、フィルタ３に付いた塵埃は、囲い体５の内部に落下する。その結果、フィルタ３に付いた塵埃を飛散させることなく確実に捕集することができる。
【００２９】
また、囲い体５の捕集部５ｂは、下方にいくにつれてつぼむように形成される。このため、フィルタ３に付いた塵埃を拡散させることなく囲い体５の下部に確実に捕集することができる。また、囲い体５の容積を小さくすることができる。
【００３０】
また、囲い体５は、下部において掃除機のホースＡと接続される。このため、囲い体５の内部に塵埃が溜まることを抑制できる。
【００３１】
また、操作体１０を移動させることで、ブラシ体８は、移動しながら回転する。このため、作業員による手元の操作でブラシ体８を簡単に移動させることができる。この際、作業員は、脚立を使用することなく、１つの工程で安全にフィルタ３の清掃作業を行うことができる。このため、フィルタ３の清掃にかかる作業時間を短くすることができる。
【００３２】
また、密着体６は、囲い体５がフィルタ３を四方から囲んだ際に空調装置１の下面に密着する。このため、囲い体５の内部において負圧を維持することができる。その結果、掃除機による吸引力を維持することができる。
【００３３】
なお、フィルタ３の清掃が行われる際、作業員は、掃除機の本体を肩に掛けたり背負ったりすればよい。この場合、フィルタ３の清掃作業時における効率と安全性とを両立することができるだけでなく、一人の作業員でフィルタ３の清掃を行うことができる。
【００３４】
また、囲い体５の筒部５ｃを伸縮自在に形成してもよい。この場合、作業員の身長と天井の高さとに合わせて囲い体５の筒部５ｃの長さを調整すればよい。例えば、天井の高さが２．５ｍ程度であることを前提として囲い体５の筒部５ｃの長さが調整できるようにすればよい。この場合、様々な伸長の作業員に対して適用し得る清掃装置４を提供することができる。
【００３５】
また、囲い体５の筒部５ｃの位置に合わせて、操作体１０の長さを設定すればよい。この場合、一人の作業員でフィルタ３の清掃をより簡単に行うことができる。
【００３６】
また、一対のレール体７の隙間に対し、遮蔽体を設けてもよい。例えば、遮蔽体として、ブラシ体８の毛８ａと同様の毛を設けてもよい。この場合、塵埃が一対のレール体７の隙から外部に飛散することを抑制できる。
【００３７】
また、ブラシ体８の毛８ａの配置は、適宜設定すればよい。例えば、ブラシ体８の軸方向に並んで配置される３組の毛８ａの集合体をブラシ体８の外周面に均等に配置すればよい。
【００３８】
また、ブラシ体８の回転量と水平方向の移動量との関係は、駆動体９のギア比等により適宜設定すればよい。
【００３９】
また、掃除機の電源を利用して、駆動体９を動作させてもよい。この場合、作業員の負担を減らすことができる。
【００４０】
この際、ブラシ体８の動作のモードを適宜設定してもよい。例えば、ブラシ体８が行き来できるモードを設定してもよい。例えば、ブラシ体８の回転速度を変化させることができるモードを設定してもよい。例えば、掃除機の吸引動作と連動してブラシ体８が動作するモードを設定してもよい。
【００４１】
また、塵埃の捕集の度合いを確認できるようにしてもよい。例えば、囲い体５の筒部５ｃに塵埃を検知するセンサを設けた上で当該センサの検知結果に基づいて塵埃の捕集の度合いを確認してもよい。例えば、掃除機に予め設定された機能で、塵埃の捕集の度合いを確認してもよい。
【符号の説明】
【００４２】
１  空調装置、  ２  グリル、  ３  フィルタ、  ４  清掃装置、  ５  囲い体、  ５ａ  枠部、  ５ｂ  捕集部、  ５ｃ  筒部、  ６  密着体、  ７  レール体、  ７ａ  歯、  ８  ブラシ体、  ８ａ  毛、  ９  駆動体、  ９ａ  歯、  １０  操作体
【図１】
2020044524.tif 000003
【図２】
2020044524.tif 000004
【図３】
2020044524.tif 000005
【図４】
2020044524.tif 000006
【図５】
2020044524.tif 000007
【図６】
2020044524.tif 000008